(57)【要約】【課題】複数の発光パネルを組み合わせて一つの発光装置として用いる場合に、発光パネル間の輝度のばらつきを低減する。【解決手段】光センサと、複数の発光パネルと、複数の発光パネルのそれぞれに接続された、複数のＤＣ／ＤＣコンバータと、光センサが取得した照度に応じて、複数のＤＣ／ＤＣコンバータの出力電流を制御するための制御回路と、を有し、制御回路は、複数の発光パネルに順に点灯させ、該複数の発光パネルの点灯により光センサで取得される照度のばらつきに応じて、複数のＤＣ／ＤＣコンバータの出力電流を制御する。【選択図】図１
2013140780.tif 000002
【特許請求の範囲】
【請求項１】
光センサと、
複数の発光パネルと、
前記複数の発光パネルのいずれか一に、それぞれに接続された、複数のＤＣ／ＤＣコンバータと、
前記光センサが取得した照度に応じて、前記複数のＤＣ／ＤＣコンバータの出力電流を制御するための電源制御回路と、を有し、
前記電源制御回路は、前記複数の発光パネルを順に点灯させ、該複数の発光パネルの点灯により前記光センサで取得される照度のばらつきに応じて、前記複数のＤＣ／ＤＣコンバータの出力電流を制御することを特徴とする発光装置。
【請求項２】
光センサと、
複数の発光パネルと、
前記複数の発光パネルのいずれか一に、それぞれに接続された、複数のＤＣ／ＤＣコンバータと、
前記光センサが取得した照度に応じて、前記複数のＤＣ／ＤＣコンバータの出力電流を制御するための電源制御回路と、を有し、
前記電源制御回路は、外光の照度を取得し、前記外光の照度に応じて前記複数の発光パネルを順に点灯させ、該複数の発光パネルの点灯により前記光センサで取得される照度のばらつきに応じて、前記複数のＤＣ／ＤＣコンバータの出力電流を制御することを特徴とする発光装置。
【請求項３】
請求項１または請求項２において、前記光センサは、複数設けられていることを特徴とする発光装置。
【請求項４】
請求項１乃至請求項３のいずれか一において、前記発光パネルは、ＥＬ素子を具備することを特徴とする発光装置。
【請求項５】
電源制御回路が外部環境に応じて基準電流を生成し、
前記基準電流を複数のＤＣ／ＤＣコンバータのいずれか一より、複数の発光パネルのいずれか一に供給し、
前記基準電流が供給された前記発光パネルの発光による照度を光センサが取得し、
前記電源制御回路が、前記ＤＣ／ＤＣコンバータのいずれか一より該ＤＣ／ＤＣコンバータに電気的に接続された前記発光パネルに供給する、前記光センサで取得した照度をもとに得られる補正電流を出力する制御を、順に行うことを特徴とする発光装置の駆動方法。
【請求項６】
光センサにより外光の照度を検出し、
前記外光の照度に応じて、電源制御回路が基準電流を生成し、
前記基準電流が複数のＤＣ／ＤＣコンバータのいずれか一より、複数の発光パネルのいずれか一に供給し、
前記基準電流が供給された前記発光パネルの発光による照度を前記光センサが取得し、
前記電源制御回路が、前記ＤＣ／ＤＣコンバータのいずれか一より該ＤＣ／ＤＣコンバータに電気的に接続された前記発光パネルに供給する、前記光センサで取得した照度をもとに得られる補正電流を出力する制御を、順に行うことを特徴とする発光装置の駆動方法。
【発明の詳細な説明】
【技術分野】
【０００１】
本発明は発光装置、特に照明として用いることのできる発光装置に関する。または発光装置の駆動方法に関する。
【背景技術】
【０００２】
エレクトロルミネッセンス（ＥＬ：Ｅｌｅｃｔｒｏ  Ｌｕｍｉｎｅｓｃｅｎｃｅ）素子を利用した発光装置は、低消費電力であること、面状での均一な発光が可能であることから、照明用途への展開が期待されている。
【０００３】
照明用として、ＥＬ素子を利用した発光装置としては、特許文献１がある。特許文献１では、複数の発光パネルを組み合わせて用いる際、雰囲気や利用場所に適した調光制御も実現しうる構成について開示している。
【先行技術文献】
【特許文献】
【０００４】
【特許文献１】特開２０１０−１７７０４８号公報
【発明の概要】
【発明が解決しようとする課題】
【０００５】
ＥＬ素子を用いた発光装置において、複数の発光パネルを組み合わせて一つの発光装置として用いる場合、発光パネル間での輝度のばらつきが問題となる。この輝度のばらつきは、製造工程における発光パネル間の特性のばらつきに起因するため、ばらつきの程度も発光装置毎に異なる。そのため、複数の発光パネルを組み合わせて一つの発光装置として用いる場合、複数の発光パネル間での輝度のばらつきは、予め見積もることが難しい。
【０００６】
そこで本発明の一態様は、複数の発光パネルを組み合わせて一つの発光装置として用いる場合に、複数の発光パネル間の輝度のばらつきを低減することのできる発光装置を提供することを課題の一とする。
【課題を解決するための手段】
【０００７】
本発明の一態様は、光センサと、複数の発光パネルと、複数の発光パネルのいずれか一に、それぞれに接続された、複数のＤＣ／ＤＣコンバータと、光センサが取得した照度に応じて、複数のＤＣ／ＤＣコンバータの出力電流を制御するための電源制御回路と、を有し、電源制御回路は、複数の発光パネルを順に点灯させ、該複数の発光パネルの点灯により光センサで取得される照度のばらつきに応じて、複数のＤＣ／ＤＣコンバータの出力電流を制御する発光装置である。
【０００８】
本発明の一態様は、光センサと、複数の発光パネルと、複数の発光パネルのいずれか一に、それぞれに接続された、複数のＤＣ／ＤＣコンバータと、光センサが取得した照度に応じて、複数のＤＣ／ＤＣコンバータの出力電流を制御するための電源制御回路と、を有し、電源制御回路は、外光の照度に応じたデータを取得し、外光の照度に応じて複数の発光パネルを順に点灯させ、該複数の発光パネルの点灯により光センサで取得される照度のばらつきに応じて、複数のＤＣ／ＤＣコンバータの出力電流を制御する発光装置である。
【０００９】
本発明の一態様において、光センサは、複数設けられている発光装置が好ましい。
【００１０】
本発明の一態様において、発光パネルは、ＥＬ素子を具備する発光装置が好ましい。
【００１１】
本発明の一態様は、電源制御回路が外部環境に応じて基準電流を生成し、基準電流を複数のＤＣ／ＤＣコンバータのいずれか一より、複数の発光パネルのいずれか一に供給し、基準電流が供給された発光パネルの発光による照度を光センサが取得し、電源制御回路が、ＤＣ／ＤＣコンバータのいずれか一より該ＤＣ／ＤＣコンバータに電気的に接続された発光パネルに供給する、光センサで取得した照度をもとに得られる補正電流を出力する制御を、順に行う発光装置の駆動方法である。
【００１２】
本発明の一態様は、光センサにより外光の照度を見積もり、外光の照度に応じて、電源制御回路が基準電流を生成し、基準電流が複数のＤＣ／ＤＣコンバータのいずれか一より、複数の発光パネルのいずれか一に供給し、基準電流が供給された発光パネルの発光による照度を光センサが取得し、電源制御回路が、ＤＣ／ＤＣコンバータのいずれか一より該ＤＣ／ＤＣコンバータに電気的に接続された発光パネルに供給する、光センサで取得した照度をもとに得られる補正電流を出力する制御を、順に行う発光装置の駆動方法である。
【発明の効果】
【００１３】
本発明の一態様により、複数の発光パネルを組み合わせて一つの発光装置として用いる場合、発光パネル間の輝度のばらつきを低減することができる。
【図面の簡単な説明】
【００１４】
【図１】実施の形態１の構成を説明するためのブロック図。
【図２】実施の形態１の構成を説明するためのフローチャート図。
【図３】実施の形態１の構成を説明するためのブロック図。
【図４】実施の形態１の構成を説明するためのブロック図。
【図５】実施の形態１の構成を説明するためのブロック図。
【図６】実施の形態１の構成を説明するためのブロック図。
【図７】実施の形態２の構成を説明するための回路図。
【図８】実施の形態３の構成を説明するための模式図。
【図９】実施の形態４の構成を説明するための模式図。
【図１０】実施の形態５の構成を説明するための図。
【発明を実施するための形態】
【００１５】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って実施の形態の記載内容に限定して解釈されるものではない。なお、以下に説明する発明の構成において、同じ物を指し示す符号は異なる図面間において共通とする。
【００１６】
なお、各実施の形態の図面等において示す各構成の大きさ、層の厚さは、明瞭化のために誇張されて表記している場合がある。よって、必ずしもそのスケールに限定されない。
【００１７】
なお本明細書にて用いる第１、第２、第３、乃至第ｎ（ｎは自然数）という用語は、構成要素の混同を避けるために付したものであり、数的に限定するものではないことを付記する。
【００１８】
（実施の形態１）
本実施の形態では、本発明の一形態における発光装置、及び発光装置の駆動方法について説明する。
【００１９】
図１には、発光装置１０のブロック図を示している。図１において、発光装置１０は、発光制御部１０１及び発光部１０２を有する。発光装置１０の発光制御部１０１は、交流電源１０３を含む電源部１００に接続されている。
【００２０】
電源部１００は、交流電源１０３の他に、整流回路１０４及びＡＣ／ＤＣコンバータ１０５を有する。なお図１では、整流回路１０４及びＡＣ／ＤＣコンバータ１０５を、発光装置１０の外部にある構成として例示しているが、発光装置１０内に組み込まれた構成としてもよい。また、交流電源１０３が直流電源の場合、電源部１００は、整流回路１０４及びＡＣ／ＤＣコンバータ１０５を省略することができる。
【００２１】
発光制御部１０１は、電源制御回路１０６、及び第１のＤＣ／ＤＣコンバータ１０７＿１乃至第Ｎ（Ｎは２以上の自然数）のＤＣ／ＤＣコンバータ１０７＿Ｎを有する。
【００２２】
発光部１０２は、光センサ１０８、及び第１の発光パネル１０９＿１乃至第Ｎの発光パネル１０９＿Ｎを有する。
【００２３】
整流回路１０４は、交流電源１０３が出力する交流電圧を、整流化された直流電圧にするための回路である。整流回路１０４は、例えばダイオード素子を用いて構成すればよい。またダイオード素子を用いて構成される整流回路は、全波整流回路、半波整流回路、ダイオードブリッジを用いた回路、またはトランスを用いた全波整流回路、等で構成してもよい。
【００２４】
ＡＣ／ＤＣコンバータ１０５は、整流回路１０４で整流化された交流電圧を、直流電圧に変換するための回路である。ＡＣ／ＤＣコンバータ１０５は、例えばスイッチング素子や容量素子を用いて構成すればよい。
【００２５】
電源制御回路１０６は、光センサ１０８からの信号に応じて、第１のＤＣ／ＤＣコンバータ１０７＿１乃至第ＮのＤＣ／ＤＣコンバータ１０７＿Ｎの出力する電流を個別に制御するための回路である。電源制御回路１０６は、例えばＭＰＵ（Ｍｉｃｒｏ  Ｐｒｏｃｅｓｓｉｎｇ  Ｕｎｉｔ）を用いて構成すればよい。
【００２６】
第１のＤＣ／ＤＣコンバータ１０７＿１乃至第ＮのＤＣ／ＤＣコンバータ１０７＿Ｎは、第１の発光パネル１０９＿１乃至第Ｎの発光パネル１０９＿Ｎのそれぞれに対し、電源制御回路１０６の制御により、異なる電流を供給することのできる回路である。第１のＤＣ／ＤＣコンバータ１０７＿１乃至第ＮのＤＣ／ＤＣコンバータ１０７＿Ｎは、例えば非絶縁型または絶縁型のＤＣ／ＤＣコンバータを用いて構成すればよい。
【００２７】
光センサ１０８は、可視光を吸収して、外光の照度や、第１の発光パネル１０９＿１乃至第Ｎの発光パネル１０９＿Ｎが発光することによる発光装置周辺の照度を測定するための回路である。光センサ１０８は、例えばアモルファスシリコンをＰＩＮ接合した素子を用いて構成すればよい。
【００２８】
第１の発光パネル１０９＿１乃至第Ｎの発光パネル１０９＿Ｎは、陽極と陰極との間に発光層を具備し、陽極側から陰極側に電流を流すことで、発光層が発光するパネルである。なお、陽極、陰極、及び発光層を含む素子は、ＥＬ素子であり、陽極と陰極の間に正孔注入層、正孔輸送層、発光層、電子輸送層、電子注入層等を積層して用いることができる。あるいは、第１の発光パネル１０９＿１乃至第Ｎの発光パネル１０９＿Ｎはそれぞれ、陽極と陰極との間に発光層を具備する複数の発光素子を有していても良い。
【００２９】
図２に、図１に示す発光装置１０の駆動方法に関するフローチャート図を示す。また図３乃至図６には図２で説明するフローチャート図における発光装置１０の具体的な動作の模式図を示している。なお図３乃至図６中、図１と同じ構成については、同じ符号を付して示している。
【００３０】
まず、図２におけるステップ２０１では、外部環境に応じた基準電流Ｉｒｅｆの設定を行う。具体的には、光センサ１０８で発光部１０２周辺の照度Ｌｓを測定する。光センサ１０８で得られる照度Ｌｓのデータは、電源制御回路１０６に入力され、電源制御回路１０６は照度Ｌｓの強度に応じて、第１のＤＣ／ＤＣコンバータ１０７＿１乃至第ＮのＤＣ／ＤＣコンバータ１０７＿Ｎより第１の発光パネル１０９＿１乃至第Ｎの発光パネル１０９＿Ｎのそれぞれに供給する基準電流Ｉｒｅｆを設定する。図３（Ａ）には、前述の動作を模式的に示している。
【００３１】
なお基準電流Ｉｒｅｆは、照度Ｌｓに応じて設定されるものであればよいが、他のセンサと併用して設定されることも可能である。例えば基準電流Ｉｒｅｆは、タイマー等の他のデバイスに応じて設定されるものであってもよい。タイマーを併用することで、朝、夕、夜等のシーンに応じた調光と組み合わせた発光装置の動作が可能になる。
【００３２】
次いで、図２におけるステップ２０２では、電源制御回路１０６が、第１のＤＣ／ＤＣコンバータ１０７＿１乃至第ＮのＤＣ／ＤＣコンバータ１０７＿Ｎのいずれか一より、対応する第１の発光パネル１０９＿１乃至Ｎの発光パネル１０９＿Ｎのいずれか一に、基準電流Ｉｒｅｆを供給するよう制御する。ここでは最初に、第１のＤＣ／ＤＣコンバータ１０７＿１より、基準電流Ｉｒｅｆを第１の発光パネル１０９＿１に供給するよう制御する例を示す。第１のＤＣ／ＤＣコンバータ１０７＿１が基準電流Ｉｒｅｆを第１の発光パネル１０９＿１に供給することで、第１の発光パネル１０９＿１は、発光する。この第１の発光パネル１０９＿１（ＥＬ１）の発光による照度Ｌ１を光センサ１０８が測定する。図３（Ｂ）には、前述の動作を模式的に示している。
【００３３】
次いで、図２におけるステップ２０３では、ステップ２０２で第１の発光パネル１０９＿１が発光し得られる照度Ｌ１に応じたデータを、電源制御回路１０６で取得する。すなわちステップ２０２及びステップ２０３では、第１のＤＣ／ＤＣコンバータ１０７＿１が基準電流Ｉｒｅｆを第１の発光パネル１０９＿１に供給することで、第１の発光パネル１０９＿１（ＥＬ１）を発光させ、光センサ１０８で得られる照度Ｌ１に応じたデータを電源制御回路１０６で取得する。図３（Ｃ）には、前述の動作を模式的に示している。
【００３４】
次いで、図２におけるステップ２０４では、全ての発光パネルに対して、ＤＣ／ＤＣコンバータより基準電流Ｉｒｅｆを供給し、発光パネルを発光させて、個別の発光パネルの照度に応じたデータを電源制御回路１０６で取得したか否かの判断を行う。
【００３５】
全ての発光パネルに対して、ＤＣ／ＤＣコンバータより基準電流Ｉｒｅｆを供給し、発光パネルを発光させて照度に応じたデータを電源制御回路１０６で取得していなければ、図２におけるステップ２０２に戻る。ここで、第１のＤＣ／ＤＣコンバータ１０７＿１より基準電流Ｉｒｅｆを供給し、第１の発光パネル１０９＿１を発光させて照度Ｌ１に応じたデータを電源制御回路１０６で取得した後の動作を説明する。
【００３６】
この場合、次の動作はステップ２０２に従って行われる。具体的には、例えば第２のＤＣ／ＤＣコンバータ１０７＿２より、基準電流Ｉｒｅｆを第２の発光パネル１０９＿２に供給するよう制御する。第２のＤＣ／ＤＣコンバータ１０７＿２が基準電流Ｉｒｅｆを第２の発光パネル１０９＿２に供給することで、第２の発光パネル１０９＿２は発光する。この第２の発光パネル１０９＿２（ＥＬ２）の発光による照度Ｌ２を光センサ１０８が測定する。図４（Ａ）には、前述の動作を模式的に示している。
【００３７】
次いで、ステップ２０３では、ステップ２０２で第２の発光パネル１０９＿２が発光し得られる照度Ｌ２に応じたデータを、電源制御回路１０６で取得する。この時点で、電源制御回路１０６は、第１の発光パネル１０９＿１及び第２の発光パネル１０９＿２に、それぞれ基準電流Ｉｒｅｆを供給することにより、第１の発光パネル１０９＿１による照度Ｌ１、第２の発光パネル１０９＿２による照度Ｌ２に応じたデータを取得する。図４（Ｂ）には、前述の動作を模式的に示している。
【００３８】
また再度ステップ２０４で全ての発光パネルの照度の取得が完了していない場合、図２におけるステップ２０２に戻る。この操作を繰り返すことで、第１のＤＣ／ＤＣコンバータ１０７＿１より第１の発光パネル１０９＿１より順に基準電流Ｉｒｅｆを供給していき、最後の第ＮのＤＣ／ＤＣコンバータ１０７＿Ｎより第Ｎの発光パネル１０９＿Ｎに基準電流Ｉｒｅｆを供給する。
【００３９】
第ＮのＤＣ／ＤＣコンバータ１０７＿Ｎより第Ｎの発光パネル１０９＿Ｎに基準電流Ｉｒｅｆを供給する場合もステップ２０２に従って行われる。具体的には、電源制御回路１０６が、第ＮのＤＣ／ＤＣコンバータ１０７＿Ｎより、基準電流Ｉｒｅｆを第Ｎの発光パネル１０９＿Ｎに供給するよう制御する。第ＮのＤＣ／ＤＣコンバータ１０７＿Ｎが基準電流Ｉｒｅｆを第Ｎの発光パネル１０９＿Ｎに供給することで、第Ｎの発光パネル１０９＿Ｎは発光する。この第Ｎの発光パネル１０９＿Ｎ（ＥＬＮ）の発光による照度ＬＮを光センサ１０８が測定する。図５（Ａ）には、前述の動作を模式的に示している。
【００４０】
次いで、ステップ２０３では、ステップ２０２で第Ｎの発光パネル１０９＿Ｎが発光し得られる照度ＬＮに応じたデータを、電源制御回路１０６で取得する。この時点で、電源制御回路１０６は、第１の発光パネル１０９＿１乃至第Ｎの発光パネル１０９＿Ｎの全てに、それぞれ基準電流Ｉｒｅｆを供給し、照度Ｌ１乃至ＬＮに応じたデータを取得することとなる。図５（Ｂ）には、前述の動作を模式的に示している。
【００４１】
全ての発光パネルに対して、ＤＣ／ＤＣコンバータより基準電流Ｉｒｅｆを供給し、発光パネルを発光させて照度に応じたデータを電源制御回路１０６で取得すれば、図２におけるステップ２０５に進む。以上説明したように、ステップ２０５までで、電源制御回路１０６は、同じ基準電流Ｉｒｅｆを第１の発光パネル１０９＿１乃至第Ｎの発光パネル１０９＿Ｎの全てに、個別に供給した際の照度Ｌ１乃至ＬＮに応じたデータを取得したことになる。
【００４２】
第１の発光パネル１０９＿１乃至第Ｎの発光パネル１０９＿Ｎに同じ基準電流Ｉｒｅｆを供給した場合、各発光パネルの電流−輝度特性が同じであれば、同じ輝度が得られるため、同じ照度Ｌ１乃至ＬＮが取得されるはずである。しかしながら、複数の発光パネルの電流−輝度特性は、一枚の発光パネルサイズの大きい、ＥＬ素子を用いた発光パネルでは、発光パネル間でのばらつきが顕著である。そして特にこのようなＥＬ素子を用いた発光パネルを複数組み合わせて一つの発光装置とする場合、電流−輝度特性にばらつきが大きいので、一枚一枚の輝度の差が目立ってしまう。この輝度のばらつきは、上述のステップ２０１乃至ステップ２０４で得られる基準電流Ｉｒｅｆを第１の発光パネル１０９＿１乃至第Ｎの発光パネル１０９＿Ｎの全てに供給した際の照度Ｌ１乃至ＬＮの相違に反映される。
【００４３】
そこでステップ２０５では、先に取得した各発光パネルの照度Ｌ１乃至ＬＮから補正電流Ｉｃを見積もり、第１のＤＣ／ＤＣコンバータ１０７＿１乃至第ＮのＤＣ／ＤＣコンバータ１０７＿Ｎより第１の発光パネル１０９＿１乃至第Ｎの発光パネル１０９＿Ｎのそれぞれに供給する。具体的には、照度が他の発光パネルより大きい発光パネルには、基準電流Ｉｒｅｆより小さい補正電流Ｉｃが供給されるように調整し、照度が他の発光パネルよりも小さい発光パネルには、基準電流Ｉｒｅｆよりも大きい補正電流Ｉｃを供給されるように調整すればよい。図６には、前述の動作を模式的に示している。
【００４４】
図３乃至図６で説明した例を挙げて説明すれば、電源制御回路１０６の制御により、第１のＤＣ／ＤＣコンバータ１０７＿１は、発光パネル間の照度が同じになるように補正された補正電流Ｉｃ１を、第１の発光パネル１０９＿１に供給する。また、電源制御回路１０６の制御により、第２のＤＣ／ＤＣコンバータ１０７＿２は、発光パネル間の照度が同じになるように補正された補正電流Ｉｃ２を、第２の発光パネル１０９＿２に供給する。同様に、電源制御回路１０６の制御により、第１のＤＣ／ＤＣコンバータ１０７＿Ｎは、発光パネル間の照度が同じになるように補正された補正電流ＩｃＮを、第Ｎの発光パネル１０９＿Ｎに供給する。その結果、第１の発光パネル１０９＿１乃至第Ｎの発光パネル１０９＿Ｎでは、同じ照度Ｌｃを得ることができる。言い換えれば、第１の発光パネル１０９＿１乃至第Ｎの発光パネル１０９＿Ｎでは、同じ輝度で発光する発光パネルを得ることができる。
【００４５】
なお前述のステップ２０１乃至ステップ２０５の一連の動作は、点灯開始時または一定期間毎に行えばよい。また前述のステップ２０１乃至ステップ２０５の一連の動作は、各発光パネルの点滅を人間には感知できない速さで行えばよく、例えば各発光パネルを６０Ｈｚ以上となるよう点滅して照度の測定を行えばよい。
【００４６】
本発明の一態様により、複数の発光パネルを組み合わせて一つの発光装置として用いる場合、発光パネル間の輝度のばらつきを低減することができる。
【００４７】
本実施の形態は、他の実施の形態に記載した構成と適宜組み合わせて実施することが可能である。
【００４８】
（実施の形態２）
本実施の形態では、上記実施の形態１で説明した第１のＤＣ／ＤＣコンバータ１０７＿１乃至第ＮのＤＣ／ＤＣコンバータ１０７＿Ｎの回路構成の一例について説明する。図７では、ＤＣ／ＤＣコンバータ１０７及びその周辺の回路構成について、具体的な回路構成を示している。
【００４９】
図７に示すＤＣ／ＤＣコンバータ１０７は、Ｄ／Ａコンバータ３０１、エラーアンプ３０２、三角波生成回路３０３、コンパレータ３０４、バッファ３０５、トランジスタ３０６、インバータ３０７、トランジスタ３０８、コイル３０９を有する。また図７では、上記実施の形態１で説明した第１の発光パネル１０９＿１乃至第Ｎの発光パネル１０９＿Ｎの回路構成として発光パネル１０９の等価回路を示している。発光パネル１０９は、発光素子３１０及びセンシング抵抗３１１を有する。また図７では、上記実施の形態１で説明したＡＣ／ＤＣコンバータ１０５及び電源制御回路１０６を示している。
【００５０】
図７に示すＤＣ／ＤＣコンバータ１０７は、電源制御回路１０６からの信号をＤ／Ａコンバータ３０１でアナログ値に変換してエラーアンプ３０２の非反転入力端子に入力する。また、発光素子３１０とセンシング抵抗３１１との間の電位をエラーアンプ３０２の反転入力端子に入力する。
【００５１】
エラーアンプ３０２の出力端子は、コンパレータ３０４の非反転入力端子に接続される。コンパレータ３０４の反転入力端子には、三角波生成回路３０３より三角波が入力される。コンパレータ３０４の出力端子は、バッファ３０５及びインバータ３０７に接続される。バッファ３０５はトランジスタ３０６の導通状態を制御する。またインバータ３０７はトランジスタ３０８のスイッチングを制御する。トランジスタ３０６及びトランジスタ３０８のスイッチングを制御することで、電源制御回路１０６からの信号に応じた電流をＡＣ／ＤＣコンバータ１０５より、発光パネル１０９に供給することができる。
【００５２】
本発明の一態様で説明したＤＣ／ＤＣコンバータ１０７を上記実施の形態１で説明した、第１のＤＣ／ＤＣコンバータ１０７＿１乃至第ＮのＤＣ／ＤＣコンバータ１０７＿Ｎに適用することにより、複数の発光パネルを組み合わせて一つの発光装置として用いる場合に、発光パネル間の輝度のばらつきを低減することができる。
【００５３】
本実施の形態は、他の実施の形態に記載した構成と適宜組み合わせて実施することが可能である。
【００５４】
（実施の形態３）
本実施の形態では、実施の形態２で示した発光パネル１０９の簡単な模式図について、図８を参照して説明する。
【００５５】
図８に示す発光パネル１０９は、第１の基板４０１と第２の基板４０２との間に陽極４０３、発光層４０４、及び陰極４０５を積層して設け、ＤＣ／ＤＣコンバータ１０７により陽極４０３と陰極４０５との間で電圧を加えた場合、陽極４０３側から注入した正孔と、陰極４０５側から注入した電子が輸送される。そして、電子と正孔が発光層４０４にて再結合することにより発光物質を励起し、励起状態の発光物質が基底状態に戻る際に発光して、発光層４０４が機能する。発光層４０４は、正孔注入層、正孔輸送層、発光層、電子輸送層、電子注入層等を積層して用いることができる。
【００５６】
また発光層４０４は、水分を含む雰囲気により劣化する。そのため、第１の基板４０１、第２の基板４０２、封止材４０６等で発光層４０４が水分を含む雰囲気に触れないようにすることが好適である。
【００５７】
本発明の一態様で説明した発光パネル１０９を上記実施の形態１で説明した、第１の発光パネル１０９＿１乃至第Ｎの発光パネル１０９＿Ｎに適用することにより、複数の発光パネルを組み合わせて一つの発光装置として用いる場合に、発光パネル間の輝度のばらつきを低減することができる。
【００５８】
本実施の形態は、他の実施の形態に記載した構成と適宜組み合わせて実施することが可能である。
【００５９】
（実施の形態４）
本実施の形態では、実施の形態１で示した発光部１０２の光センサ１０８、第１の発光パネル１０９＿１乃至第Ｎの発光パネル１０９＿Ｎの配置について、図９（Ａ）乃至（Ｃ）を参照して説明する。
【００６０】
図９に示す発光部１０２の模式図では、光センサ１０８と、第１の発光パネル１０９＿１乃至第４の発光パネル１０９＿４の配置について、一例を示している。
【００６１】
上記実施の形態１で説明したように、光センサ１０８は、第１の発光パネル１０９＿１乃至第４の発光パネル１０９＿４のいずれか一を選択してその輝度に応じた照度の測定を行う。従って測定する照度は、発光パネルと光センサの位置によってばらつきが少ないことが好適である。
【００６２】
例えば、図９（Ａ）に示すように、第１の発光パネル１０９＿１乃至第４の発光パネル１０９＿４から等距離となる位置に光センサ１０８を設ける構成としてもよい。なお、図９（Ａ）では、発光パネルが４枚の例を示しているが、光センサ１０８は、複数の発光パネルより等距離に設けるようにすればよい。
【００６３】
また別の構成として、例えば、図９（Ｂ）に示すように、第１の発光パネル１０９＿１乃至第４の発光パネル１０９＿４のそれぞれから等距離となる箇所に、複数の光センサ１０８を配置し、該複数の光センサ１０８で得られる照度の和を用いて、実施の形態１で説明した動作を行う構成としてもよい。なお、図９（Ｂ）では、１つの発光パネルから等距離となる位置に２つの光センサを配置する例を示しているが、複数の光センサ１０８は発光パネルより等距離に設けるようにすればよい。
【００６４】
また別の構成として、例えば、図９（Ｃ）に示すように、第１の発光パネル１０９＿１乃至第４の発光パネル１０９＿４が設けられた発光部１０２の端部に光センサ１０８を配置してもよい。この場合、光センサ１０８で得られる照度は、光センサ１０８と、各発光パネルとの距離が異なるため、距離に応じたばらつきが生じる。そのため図９（Ｃ）の構成では、距離に応じて実測照度を補正し、実施の形態１で説明した動作を行う構成としてもよい。
【００６５】
本発明の一態様で説明した発光パネル１０９を上記実施の形態１で説明した、第１の発光パネル１０９＿１乃至第Ｎの発光パネル１０９＿Ｎに適用することにより、複数の発光パネルを組み合わせて一つの発光装置として用いる場合に、発光パネル間の輝度のばらつきを低減することができる。
【００６６】
本実施の形態は、他の実施の形態に記載した構成と適宜組み合わせて実施することが可能である。
【００６７】
（実施の形態５）
本実施の形態では、発光装置の応用例を示す。
【００６８】
図１０（Ａ）は、本発明の一態様である発光装置を室内の照明装置１３０１として用いた一例を示している。
【００６９】
本発明の一態様である発光装置は、面光源の光源を有するため、点光源の光源を用いた場合に比べ、光反射板等の部材を削減することができ、または熱の発生が白熱電球に比べて小さい点等、室内の照明装置として好ましい。
【００７０】
本発明の一態様である発光装置を屋外用照明に適用した例について図１０（Ｂ）に示す。
【００７１】
屋外用照明の一つとして例えば街灯が挙げられる。街灯は、例えば図１０（Ｂ）に示すように、サポート１６０１と、照明装置１６０２と、を有する構成とすることができる。本発明の一態様である発光装置は、照明装置１６０２に複数配置して用いることができる。図１０（Ｂ）に示すように、街灯は、例えば道路沿いに設置して照明装置１６０２により均一に、周囲を照らすことができるため、道路を含め周囲の視認性を向上させることができる。
【００７２】
本実施の形態は、他の実施の形態に記載した構成と適宜組み合わせて実施することが可能である。
【符号の説明】
【００７３】
１０    発光装置
１００    電源部
１０１    発光制御部
１０２    発光部
１０３    交流電源
１０４    整流回路
１０５    ＡＣ／ＤＣコンバータ
１０６    電源制御回路
１０７    ＤＣ／ＤＣコンバータ
１０７＿Ｎ    第ＮのＤＣ／ＤＣコンバータ
１０７＿１    第１のＤＣ／ＤＣコンバータ
１０７＿２    第２のＤＣ／ＤＣコンバータ
１０８    光センサ
１０９    発光パネル
１０９＿Ｎ    第Ｎの発光パネル
１０９＿１    第１の発光パネル
１０９＿２    第２の発光パネル
１０９＿４    第４の発光パネル
２０１    ステップ
２０２    ステップ
２０３    ステップ
２０４    ステップ
２０５    ステップ
３０１    Ｄ／Ａコンバータ
３０２    エラーアンプ
３０３    三角波生成回路
３０４    コンパレータ
３０５    バッファ
３０６    トランジスタ
３０７    インバータ
３０８    トランジスタ
３０９    コイル
３１０    発光素子
３１１    センシング抵抗
４０１    基板
４０２    基板
４０３    陽極
４０４    発光層
４０５    陰極
４０６    封止材
１３０１    照明装置
１６０１    筐体
１６０２    照明装置
【図１】
2013140780.tif 000003
【図２】
2013140780.tif 000004
【図３】
2013140780.tif 000005
【図４】
2013140780.tif 000006
【図５】
2013140780.tif 000007
【図６】
2013140780.tif 000008
【図７】
2013140780.tif 000009
【図８】
2013140780.tif 000010
【図９】
2013140780.tif 000011
【図１０】
2013140780.tif 000012